【事件の表示】
　特願２００９−１８８６６６「適応変調および符号化技術のための動的なチャネル品質測定手順」拒絶査定不服審判事件〔平成２１年１１月１９日出願公開、特開２００９−２７３１５０〕について、次のとおり審決する。
【結　論】
　本件審判の請求は、成り立たない。
【理　由】
　
１．手続の経緯
　
　本願は、２００２年４月１５日（パリ条約による優先権主張外国庁受理２００１年５月１４日、米国）を国際出願日とする出願であって、平成２２年９月１６日付で拒絶理由が通知され、平成２２年１２月２１日付で手続補正がなされ、平成２３年２月１日付で拒絶理由が通知され、平成２３年８月４日付で手続補正がなされ、平成２３年８月２５日付で平成２３年８月４日付の手続補正が却下されるとともに平成２３年８月２５日付で拒絶査定がされ、平成２４年１月４日に拒絶査定不服審判が請求され、平成２５年４月２４日付で当審が拒絶理由を通知し、平成２５年７月２４日付で手続補正がなされたものである。
　
　
２．本願発明
　
　本願の請求項１に係る発明（以下「本願発明」という。）は、平成２５年７月２４日付手続補正書の特許請求の範囲の請求項１に記載された事項により特定される、以下のとおりのものと認める。
　
「オーバヘッドシグナリングおよび無線リソース利用を決定する方法において、
　ユーザ機器移動端末（ＵＥ）が、特定の無線リソースに関してのみチャネル品質（ＣＱ）測定レポートを供給する要求を前記ＵＥと通信中の基地局から受信するステップであって、前記基地局から前記ＵＥに向けたダウンリンク上の伝送が保留されている保留中のダウンリンク伝送が前記ＵＥに関して前記基地局内に存在している場合に限り、前記測定レポートを供給する前記要求は受信される、ステップと、
　前記ＵＥが、前記要求に応答して、ＣＱ測定レポートを送信するステップと、
　前記ＵＥが、前記送信されたＣＱ測定レポートに基づいた無線リソースの割当を受信するステップと、
　前記ＵＥが、無線リソースの前記割当に従って、前記保留中のダウンリンクデータを受信するステップと
　を備えることを特徴とする方法。」
　
　
３．当審の拒絶理由
　
　一方、当審において平成２５年４月２４日付で通知した拒絶理由の概要は、本願発明は、本願の優先権主張の日前の２０００年８月３１日に頒布された国際公開第００／５１３９０号（以下「引用例１」という。）に記載された発明に基づいて当業者が容易に発明をすることができたものであるから、特許法第２９条第２項の規定により特許を受けることができない、というものである。
　
　
４．引用例
　
　引用例１には（ファミリ文献である特表２００２−５３８６９７号公報を当審訳とする。当審訳における下線は当審が付与）
　
「FIELD OF THE INVENTION
The present invention relates generally to the field of mobile radio communications and more specifically to a method and apparatus for allocating radio channels to users in a mobile radio system.」（１頁３行〜６行）
（当審訳：【０００１】
  発明の分野
  
本発明は一般的には移動体無線通信の分野に関し、特に、移動無線システムにおいてユーザに無線チャネルを割当てる方法及び装置に関する。
　
「As mentioned briefly above, a MS 110 is normally within the radio coverage area 130 of several BTSs 120. Logic which is used for determining to which downlink channel a MS should listen when in active mode may be contained in the BSC 125. The MS 110 continually makes measurements, in both idle and active mode, on the surrounding BTSs' signals. In idle mode, the MS 110 uses the measurement results to decide which channel to camp on according to known technique. In active mode, and in case of a call set-up, the measurement results are sent on a control channel to the BSC 125, which uses the results in the determination process. Since there is not necessarily a simple connection between the strength of a signal and the corresponding quality the signal would provide a user, the signal quality may be measured as well as the signal strength. The quality measurement can be performed in a number of different ways, some of which are described below.」（７頁１行〜１１行）
（当審訳：【００１９】
　簡単に上述したように、ＭＳ１１０は普通、いくつかのＢＴＳ１２０の無線カバレッジ領域１３０の中にある。ＭＳがどのダウンリンクチャネルを聴取すべきなのかを決定するために用いられるロジックはアクティブモードにあるとき、ＢＳＣ１２５に含まれても良い。
ＭＳ１１０は連続的にアイドルモードとアクティブモードの両方で、周辺のＢＴＳの信号についての測定を行う。アイドルモードでは、ＭＳ１１０は測定結果を用いて公知の技術に従ってどのチャネルを用いるべきなのかを決定する。アクティブモードでは、呼のセットアップの場合、測定結果は制御チャネルでＢＳＣ１２５に送られて、ＢＳＣ１２５ではその結果を決定プロセスにおいて使用する。
　
「To achieve the best over all performance of the cellular system, such negative influence on on-going traffic and future possibilities could be considered when making the decision about which resource to allocate to a mobile station 110, as well as the radio-quality-to-be on the channel to be allocated. An example of the concept of the method of the invention is shown in Fig. 2. The method described in the flow chart in Fig. 2 could be used either for assign- ment of a channel for a new radio connection during call set-up, or used repeatedly for continuous quality update of already existing connections with a possible hand-over in mind, so called locating. In case of assignment of channel for a new radio connection, the request for such a channel could be made either by the MS 1 10 or by the core network 135.
　
　In step 210 of Fig. 2, a list of candidate radio channels is provided to the MS 110. This list could be acquired by referring to mobile held information (e.g. frequency lists in a GSM mobile), or sent to MS 110 by the mobile radio network, which could select the candidate channels depending on, e.g., the geographical position of the MS 110, the properties of the MS 110 and the load on the nearby BTSs 120. For example, if a candidate GPRS radio channel cannot provide a gross bandwidth (i.e. bandwidth including bandwidth used for so called link adaption, where control bits used for error detection are included in the transmitted information) larger than the net bandwidth (i.e. information carrying bandwidth) needed for the requested service, this channel could be excluded from the list already at this stage. The list could typically contain 3-6 different candidate channels. Too many candidate channels would overload the processing capacity of the MS 1 10, and too few candidates lowers the probability of finding the most suitable channel. If the method is used for locating, the presently serving radio channel could be included in the candidate list.
　
In an embodiment of the invention shown in Fig. 2, all investigation steps are performed for a candidate channel before the investigation of the next candidate channel in the list is started. One could also choose to perform one of the investigation steps of Fig. 2 repeatedly for all candidate channels before the next step is entered.
　
In step 215 of Fig. 2, it is checked whether there are any candidate channels on the list that have not yet been investigated, or if the list is finished. If the list is not finished, then the next channel in the list is chosen in step 220. In step 225, the MS 1 10 performs measurements of the radio quality of the candidate channels according to a quality measurement scheme of which examples will be given below. The measurement result may then be sent to the mobile radio network 100. In step 230, the mobile radio network 100 makes a comparison between the estimated quality of a possible connection and the quality needed for the requested service. In this step, information about what fraction of the candidate channel can be set aside for the requested service without lowering the quality of the existing connec- tions on the same carrier below what is acceptable may also be taken into the consideration, when appropriate. Another possibility is to provide the MS 110 with information about the requested quality and let the MS 1 10 make the comparison in step 230. In step 235, it is determined whether the measured quality would be sufficient for the requested service. If not, step 245 is entered, where the quality measurement result is entered into a Call Record Register (CRR) 400. If the result of the comparison in step 235 is that the quality would be sufficient, then step 240 is entered.」（７頁２５行〜９頁３行）
（当審訳：【００２１】
「セルラシステムの全ての性能にわたり最上のものを達成するために、どの資源を移動局１１０に割当てるのかとともに、その割当てられるチャネルについての無線品質についての決定を行うときに、進行中のトラフィックや将来の可能性についての悪い影響が考慮される。本発明の方法の概念の例が図２に示されている。
図２のフローチャートで説明される方法は、呼のセットアップ中に新しい無線接続についてのチャネル割当てに用いられるか、或いは、可能性のあるハンドオーバ、所謂、ロケーティングを考慮して、既存の接続の連続的な品質の更新のために繰り返し用いられる。
【００２２】
  
図２のステップ２１０では、無線チャネルの候補のリストがＭＳ１１０に提供される。
【００２３】
  図２に示される本発明の実施形態において、全ての調査ステップは、そのリストの次のチャネルの候補の調査が開始される前にチャネルの候補に対して実行される。ある者は、次のステップに入る前に全てのチャネル候補について図２の調査ステップの１つを繰返し実行することを選択することもできる。
【００２４】
  図２のステップ２１５において、まだ調査されていないリスト上のチャネルの候補があるかどうかが、或いは、そのリストの調査が終了したかかどうかがチェックされる。もし、そのリストが終了していないなら、そのリストの次のチャネルがステップ２２０で選択される。
ステップ２２５では、ＭＳ１１０は、その例を後述する品質測定方式に従って、チャネル候補の無線品質の測定を実行する。その測定結果はそれから移動無線ネットワーク１００に送信される。
　
「A possible method for quality measurements according to step 225 of Fig. 2 is for the MS 110 to measure the interference level I during time slots when the BTS is not transmitting, so called idle time slots. For the serving BTS, the MS knows when these time slots occur and by measuring the received signal strength on these time slots, a measure of the interfer- ence is obtained. Measurements on any other time slots yield the carrier signal strength, C. These measurements can be performed on serving channel or on any other channel which the serving BTS transmits on. By listening to the BCCH (Broadcast Control Channel) or the PBCCH (Packet Broadcast Control Channel) of another BTS than the serving BTS, the MS can read the synchronization of the BTS, and hence the information about when this BTS will be idle. Alternatively, information about the synchronization of another BTS can be sent by the serving BTS on a control channel. By tuning, in time for such an idle time slot, the frequency on which to measure the signal strength to a frequency transmitted by the particular BTS, a MS can measure the interference the MS would perceive if served by this particular frequency. By measuring the signal strength on any other time slot, the MS can determine the carrier strength, C, it would perceive. The carrier over interference value, C/I, is then a measure of the signal quality the MS would get. In packet data applications, there is a simple relation between C/I and net bandwidth, since the better the signal quality, the less gross bandwidth has to be used for link adaption. This method for measuring the signal quality on serving and other BTSs is particularly suitable for GPRS, since it is standardized that on a GPRS frequency, every 26 lh  time slot should be idle (see GSM TS 03.60). In GSM, the standardized idle time slots occur more seldom. Other examples of quality measurement methods could be to measure the Frame Erasure Rate (FER), i.e. the fraction of damaged speech frames in a speech connection or the Bit Error Rate (BER), i.e. the relative number of bits that were wrongly detected.」（１０頁３０行〜１１頁２０行）
（当審訳：【００２９】
　図２のステップ２２５に従った品質測定についての可能性のある方法は、ＭＳ１１０が、ＢＴＳが送信していないときのタイムスロット、所謂、アイドルタイムスロットで干渉レベルＩを測定することである。サービスを行っているＢＴＳに関し、ＭＳはこれらのタイムスロットが発生するときを知っており、そして、これらのタイムスロットでの受信信号強度を測定することにより、干渉の測定が得られる。何か他のタイムスロットでの測定により搬送波信号強度Ｃが得られる。これらの測定はサービスを行っているチャネル、或いは、サービスを行っているＢＴＳが送信する別のチャネルで実行される。サービスを行っているＢＴＳ以外のＢＴＳのＢＣＣＨ（同報制御チャネル）或いはＰＢＣＣＨ（パケット同報制御チャネル）を聴取することにより、ＭＳはＢＴＳの同期を、それ故に、このＢＴＳがいつアイドルになるのかについての情報を読み取ることができる。その代わりに、他のＢＴＳの同期についての情報が制御チャネルでサービスを行っているＢＴＳにより送信されても良い。そのようなアイドルタイムスロットの間にちょうど間に合わせて、特定のＢＴＳにより送信される周波数に対して信号強度を測定すべき周波数をチューニングすることにより、この特定の周波数によってサービスを受けているなら、ＭＳが感知する干渉をそのＭＳは測定できる。何か別のタイムスロットで信号強度を測定することにより、ＭＳはそれが感知する搬送波強度Ｃを決定できる。
そのとき、干渉値に対する搬送波、Ｃ／ＩはＭＳが得る信号品質の尺度である。
品質測定方法の他の例は、フレーム削除率（ＦＥＲ）、即ち、音声接続における損傷音声フレームの割合、或いは、ビット誤り率（ＢＥＲ）、即ち、誤って検出されたビットの相対数を測定することである。
　
「An exemplary mobile radio network architecture of the present invention is shown in Fig. 3. A MS 110 communicates with the mobile radio network via one of the BTSs 120 of the mobile radio network. The BTSs 120 are in the exemplary embodiment connected to a radio resource administrator 300, which is in turn connected to the core network 135. The radio resource administrator 300 is further connected to a session quality supervisor 310 and an interference supervisor 320. The interference supervisor 320 is further connected to an interference impact statistical database 330 as well as to the session quality supervisor 310. In an exemplary embodiment the radio resource administrator 300, the session quality supervisor 310, the interference supervisor 320 and the interference impact statistical database 330 are all located in the BSC 125. However, it is possible to locate one or several of these devices in a different part of the mobile radio network.
 
The radio resource administrator 300 is in the exemplary embodiment the device of the mobile radio network 100 which is responsible for the allocation of radio resources to the MS 110. The radio resource administrator 300 is responsible for keeping the list of candidate channels, which can either be selected by the radio resource administrator 300 or by the MS 110 or elsewhere, as well as for receiving the quality measurement results on these channels from the MS 1 10. By interrogating the session quality supervisor 310 and the interference supervisor 320, the radio resource administrator 300 may gather information on which the decision is made on which channel, if any, to allocate to the MS 1 10. In the case of having received a request for a channel allocation for a new radio connection, the radio resource administrator 300 sends an order to the MS 1 10 to perform an assignment on the selected channel, or, in case of a hand-over, the radio resource administrator 300 sends an order to the MS 110 to re-assign to the selected channel. Once a connection is set up, the radio resource administrator 300 may continually update the list over candidate channels and receive measurement information on the grounds on which hand-over decisions are made, in order to continually obtain an optimal allocation of resources.」(１２頁１１行〜１３頁４行）
（当審訳：【００３２】
　本発明の代表的な移動無線ネットワークアーキテクチュアが図３に示されている。ＭＳ１１０は移動無線ネットワークのＢＴＳ１２０の１つを介して移動無線ネットワークと通信を行う。ＢＴＳ１２０はその代表的な実施形態では、無線資源管理部３００に接続され、それは次にコアネットワーク１３５に接続される。無線資源管理部３００はさらに、セション品質監視部３１０と干渉監視部３２０とに接続される。干渉監視部３２０はさらに干渉影響の統計データベース３３０とともにセション品質監視部３１０にも接続される。
代表的な実施形態では、無線資源管理部３００と、セション品質監視部３１０と、干渉監視部３２０と、干渉影響の統計データベース３３０とは全て、ＢＳＣ１２５に位置している。しかしながら、移動無線ネットワークの異なる部分にこれら機器の１つ或いはいくつかを配置させることは可能である。
【００３３】
  無線資源管理部３００は、代表的な実施形態では、ＭＳ１１０に無線資源の割当てを受け持つ移動無線ネットワーク１００の機器である。無線資源管理部３００は、無線資源管理部３００、或いは、ＭＳ１１０、或いは、どこかにより選択されるＭＳチャネルの候補のリストを保持するとともに、ＭＳ１１０からのこれらチャネルについての品質測定結果を受信することを受け持っている。セション品質監視部３１０と干渉監視部３２０とに照会することにより、無線資源管理部３００は、もしあれば、どのチャネルがＭＳ１１０に割当てられるのかについての決定をする情報を収集しても良い。新しい無線接続についてのチャネル割当ての要求を受信した場合、無線資源管理部３００はＭＳ１１０に命令を送信して、選択チャネルについての割当てを実行するか、或いは、ハンドオーバの場合、無線資源管理部３００はＭＳ１１０に命令を送信して、選択チャネルを再割当てする。一旦、接続がセットアップされるなら、無線資源管理部３００は引き続きチャネルの候補についてのリストを更新し、ハンドオーバの決定がなされる理由についての測定情報を受信して、引き続き資源の最適な割当てを獲得する。）
　
「An exemplary channel allocation procedure is shown in Fig 4. Fig 4 (a) schematically illustrates how the flow of messages in the system takes place, while Fig. 4 (b) shows how a Call Record Register (CRR) 400 in the radio resource administrator 300 is filled out as the procedure advances. While the example given concerns an allocation of a GPRS channel, the principles could easily be transferred to any other type of channel allocation.
　
In Fig. 4 (a), the radio resource administrator 300 sends a message A to the MS 110, con- taining information about the candidate channels on which the MS 110 should perform quality measurements. In connection to this, the radio resource administrator 300 registers the candidate channels in CRR 400 column 1, see Fig. 4 (b) (i). After having performed the measurements of the channel quality (see above), the MS 110 then reports the measurement results to the radio resource administrator 300, see Fig. 4 (a), message B. Using these measurement results, the radio resource administrator 300 calculates the amount of net bandwidth the candidate channels could provide if the entire gross bandwidth were to be set aside to the allocation in question. This result is entered in CRR 400 column 2, see Fig. 4 (b) (ii). In case of a missing report for a certain candidate channel, the radio resource administrator 300 can either assign a previous measurement result to this channel, or assume that the channel throughput was zero, i.e. that the channel is useless. The information in CRR 400 column 2 is then divided with the net bandwidth requested for the service, which is a piece of information given to the radio resource administrator 300 at an earlier stage, giving the fraction of the channel needed to support the requested service. This result is entered into column 3 of the CRR 400, see fig 4 (b) (ii). The radio resource administrator 300 then interrogates the radio quality supervisor 310 about what fraction of the candidate channels can be set aside for the channel allocation in question, see fig 4 (a), message C. The result, message D, is entered into column 4 of the CRR 400, see Fig. 4 (b) (iii). If the fraction of a channel which can be set aside is smaller than the fraction needed for the requested service, i.e. the number in column 4 of the CRR 400 is smaller than the number in column 3, then this channel is marked with Assignment not allowed in column 6 of the CRR 400.
　
The radio resource administrator 300 then interrogates the interference supervisor 320 about what the interference effect would be on the already existing radio connections if a radio connection were to be set up on the candidate channels not marked with Assignment not allowed in column 6 of the CRR 400. In the request for this information, see message E in Fig. 4 (a), the radio resource administrator 300 includes information about what fraction of the respective candidate channels would have to be allocated to the channel alloca- tion in question. The interference supervisor 320 then interrogates the interference impact database 330 about the interference correlation between the candidate channels and the surrounding cells, see message F in Fig. 4 (a). The result is returned in message G. The interference supervisor 320 then determines in which of the cells, where interference effects can be expected, the frequencies of the candidate channels are in use for radio transmissions. In order to estimate whether the interference effects on these sessions would be acceptable or not, the radio quality supervisor 310 is interrogated, see message H of Fig. 4 (a). This is determined based on which radio quality the sessions presently experience, what quality is needed for the particular session service, how strong the interference correlation is between the on-going session channel and the channel to be allocated, on what effect the interfering candidate channel will be transmitted and how large fraction of the candidate channel will actually be allocated. The result is then sent back to the interference supervisor 320 in message I of Fig. 4 (a). The interference supervisor 320 then returns the list of candidate channels to the radio resource administrator 300, see message J, each channel being marked with interference impact acceptable or interference impact not acceptable. The radio resource administrator 300 then enters this information in column 5 of the CRR 400, see Fig. 4 (b) (iv). The candidate channels which would yield an unacceptable interference impact on the on-going connections are marked Assignment not allowed in column 6. If there are any channels in column 6 not being marked with Assignment not allowed, one of these is then allocated to the mobile station 110. If there are more than one such channel, which one to allocate can either be chosen randomly, or considering which one is most suitable for the requested service, or has the largest ratio between the available fraction and the required fraction, or reduces the future freedom of action of the system the least, or in any other way. If there is no such channel and the priority of the requested service is high, then there is a possibility for the mobile radio network to choose to close an ongoing session with lower priority in favor of the requesting MS 1 10. If the radio resource administrator 300 determines that MS 110 should be allocated a channel, a channel assignment order K is sent to the MS 110, see Fig. 4 (a).」（１３頁３１行〜１５頁２８行）
（当審訳：【００３７】
　
代表的なチャネル割当て手順は図４に示されている。
【００３８】
  
図４（ａ）において、無線資源管理部３００は、ＭＳ１１０が品質測定を実行すべきであるチャネルの候補についての情報を含むメッセージＡをＭＳ１１０に対して送信する。
チャネル品質の測定を実行後（上を参照）、それからＭＳ１１０は測定結果を無線資源管理部３００にレポートする。図４（ａ）のメッセージＢを参照。これらの測定結果を用いて、もし、バンド幅全体が問題としている割当てに取り分けられることになっているなら、無線資源管理部３００はチャネルの候補が提供できるバンド幅の正味の量を計算する。
【００３９】
  それから、無線資源管理部３００は、もし、無線接続がＣＲＲ４００の第６カラムに“割当不許可”とマークされていないチャネルの候補についてセットアップされることになっているなら、干渉の影響が既存の無線接続についてどれほどであるのかについて、干渉監視部３２０に問い合わせる。この情報についての要求については図４（ａ）のメッセージＥを参照されたい。無線資源管理部３００はチャネル候補の各々のどの部分が問題となっているチャネル割当てに割当てられねばならないのかについての情報を含んでいる。干渉監視部３２０はそれから、チャネルの候補と周辺セルとの間の干渉相関について干渉影響のデータベース３３０に照会する。図４（ａ）のメッセージＦを参照されたい。この結果はメッセージＧで返却される。干渉監視部３２０はそれから、干渉の影響が予期されるセルにおいて、無線送信で使用されるチャネル候補の周波数を決定する。これらのセションでの干渉の影響が受容可能なものかどうかを評価するために、無線品質監視部３１０は照会を受ける。図４（ａ）のメッセージＨを参照されたい。これは、現在セションが経験している無線品質がどんなものか、特定のセションサービスにどんな品質が必要とされるのか、進行中のセションチャネルと割当てられるチャネルとの間の干渉の相関はどれほど強いのか、干渉するチャネルの候補はどれほどの影響で送信されるのか、そして、チャネルの候補のどれほど大きな割合が実際には割当てられるのかに基づいて、決定される。それから、その結果は干渉監視部３２０に図４（ａ）のメッセージＩにおいて送信される。それから、干渉監視部３２０はチャネル候補のリストを無線資源管理部３００に返却する。メッセージＪを参照されたい。各チャネルには“干渉の影響は受容可能”或いは“干渉の影響は受容不可能”とマークされる。無線資源管理部３００はそれから、この情報をＣＲＲ４００の第５カラムに入力する。図４（ｂ）（iv）を参照されたい。進行中の接続に受容不可能な影響を生み出すチャネルの候補には第６カラムで“割当不許可”とマークされる。もし、“割当不許可”とマークされていないチャネルが第６カラムにあるならば、これらの１つが移動局１１０に割当てられる。１つ以上のそのようなチャネルがあるならば、どれを割当てるのかについてはランダムに、或いは、要求されたサービスについて最適なものはどれか、或いは、利用可能な部分と要求部分との間の最大比をもっているものはどれか、或いは、システム動作の将来の自由度を最低にするものはどれかを考慮して、或いは他の何らかの方法で選択されても良い。もし、そのようなチャネルがなく、要求されたサービスの優先度が高いなら、要求をしているＭＳ１１０のために、より低い優先度をもつ進行中のセションをクローズする選択をする可能性が移動無線ネットワークにはある。
もし、無線資源管理部３００がＭＳ１１０はチャネルを割当てられるべきであると判断するなら、チャネル割当て命令ＫがＭＳ１１０に送信される。
　
　の記載がある。
　
　上記記載によれば、引用例１には、
　
「移動無線システムにおいてユーザに無線チャネルを割当てる方法であって、
　ＭＳ１１０は連続的にアイドルモードとアクティブモードの両方で、周辺のＢＴＳの信号についての測定を行い、アイドルモードではＭＳ１１０は測定結果を用いて公知の技術に従ってどのチャネルを用いるべきなのかを決定し、アクティブモードでは、呼のセットアップの場合、測定結果は制御チャネルでＢＳＣ１２５に送られて、ＢＳＣ１２５ではその結果を決定プロセスにおいて使用し、
　呼のセットアップ中に新しい無線接続に付いてのチャネル割当てに用いられるか、或いは、可能性のあるハンドオーバ、所謂、ロケ−ティングを考慮して、既存の接続の連続的な品質の更新のために繰り返し用いられる方法として、ステップ２１０では、無線チャネルの候補のリストがＭＳ１１０に提供され、ステップ２２５では、ＭＳ１１０は、チャネル候補の無線品質の測定を実行し、その測定結果はそれから移動無線ネットワークに送信されるステップが含まれ、
　品質測定方法は、Ｃ／Ｉ、フレーム削除率（ＦＥＲ）、即ち、音声接続における損傷音声フレームの割合、或いは、ビット誤り率（ＢＥＲ）、即ち、誤って検出されたビットの相対数であり、
　無線資源管理部３００と、セション品質管理部３１０と、干渉監視部３２０と、干渉影響の統計データベース３２０とは、すべてＢＳＣ１２５に位置しているが、移動無線ネットワークの異なる部分にこれら機器の１つ或いはいくつかを配置させることは可能であり、
　代表的なチャネル割当て手順は、無線資源管理部３００はＭＳ１１０が品質測定を実行すべきであるチャネルの候補についての情報を含むメッセージＡをＭＳ１１０に対して送信し、チャネル品質の測定を実行後、ＭＳ１１０は測定結果を無線資源管理部３００にレポート（メッセージＢ）し、これらの測定結果を用いて、無線資源管理部３００はチャネルの候補が提供できるバンド幅の正味の量を計算し、無線資源管理部３００がＭＳ１１０はチャネルを割当てられるべきであると判断するなら、チャネル割当て命令ＫがＭＳ１１０に送信される手順を含む
　方法」
　
　が記載されている。（以下「引用発明」という）
　
　
５．本願発明と引用発明の対比
　
　引用発明の「ＭＳ１１０」は本願発明の「ユーザ機器移動端末（ＵＥ）」に、
　引用発明の「レポート（メッセージＢ）」と「測定結果」は、本願発明の「ＣＱ測定レポート」に、
　引用発明の「チャネル割当て命令Ｋ」は、本願発明の「無線リソースの割当て」に、
それぞれ相当する。
　
　引用発明の「ＢＳＣ１２５」または「移動無線ネットワークの異なる部分」と本願発明の「基地局」はいずれも、「通信装置」である。
　
　引用発明は「呼のセットアップ」を行っており、セットアップはユーザデータではなく、呼制御つまりシグナリングであるから「オーバヘッドシグナリング」であり、さらに「無線チャネルの割当て」は「無線リソースの利用を決定」していることであるから、引用発明は「オーバヘッドシグナリングおよび無線リソース利用を決定する方法」である。
　
　引用発明は、「品質測定を実行すべきであるチャネルの候補についての情報を含むメッセージＡ」を受信して「測定結果を無線資源管理部３００にレポート（メッセージＢ）」を送信するから、品質測定の対象は、メッセージＡの「品質測定を実行すべきであるチャネルの候補」に記載されているチャネル、すなわち「特定の無線リソース」のみであることは明らかである。
　そうすると、引用発明の「無線チャネルの候補のリスト」「ＭＳ１１０が品質測定を実行すべきであるチャネルの候補についての情報を含むメッセージＡ」は、本願発明の「特定の無線リソースに関してのみチャネル品質（ＣＱ）測定レポートを供給する要求」に相当する。
　
　また、引用発明の「品質測定を実行すべきであるチャネルの候補についての情報を含むメッセージＡ」は、「呼のセットアップ中」に送信されるメッセージである。セットアップは、セットアップ対象の移動端末に対して行われることが移動無線システムにおける技術常識であるから、「品質測定を実行すべきであるチャネルの候補についての情報を含むメッセージＡ」はセットアップ対象のＭＳ１１０に対して送信されることは当然のことである。即ち、ＭＳ１１０は「セットアップ対象のＭＳ１１０」に限って「品質測定を実行すべきであるチャネルの候補についての情報を含むメッセージＡ」が受信されるといえる。
　
　そして、引用発明のＭＳ１１０が、チャネル割当ての後に割当てに従ってデータを受信することは当然のことであり、ＭＳ１１０が受信するデータは「ダウンリンクデータ」である。
　
　したがって、本願発明と引用発明は、
　
「オーバヘッドシグナリングおよび無線リソース利用を決定する方法において、
　ユーザ機器移動端末（ＵＥ）が、特定の無線リソースに関してのみチャネル品質（ＣＱ）測定レポートを供給する要求を通信装置から受信するステップであって、前記測定レポートを供給する前記要求は受信される、ステップと、
　前記ＵＥが、前記要求に応答して、ＣＱ測定レポートを送信するステップと、
　前記ＵＥが、前記送信されたＣＱ測定レポートに基づいた無線リソースの割当を受信するステップと、
　前記ＵＥが、無線リソースの前記割当に従って、ダウンリンクデータを受信するステップと
　を備えることを特徴とする方法。」
　
　で一致し、下記の点で相違する。
　
　相違点１
　
　「特定の無線リソースに関してのみチャネル品質（ＣＱ）測定レポートを供給する要求」を送信する時期について、本願発明は「前記基地局から前記ＵＥに向けたダウンリンク上の伝送が保留されている保留中のダウンリンク伝送が前記ＵＥに関して前記基地局内に存在している場合」であって無線リソースの割当てに従って移動端末が受信する「ダウンリンクデータ」が「保留中」のダウンリンクデータであるのに対し、引用発明は「セットアップ中」であり、割当てにしたがって受信する「ダウンリンクデータ」が「保留中では無い」点。
　
　相違点２
　
　「通信装置」について、本願発明は「ＵＥと通信中の基地局」であるのに対し、引用発明は「ＢＳＣ１２５または移動無線ネットワークの異なる部分」である点。
　
　
６．当審の判断
　
　上記相違点について検討する。
　
　相違点１について
　
　特開２０００−１５１６３９号公報（以下「引用例２」という）には、
　
「【００２６】このように本発明の第１の形態は、
送信側端末から受信側端末に対して、本来送るべきデータパケットの送信前に、主に無線伝送路確保を行うために送信側端末と受信側端末との間で送信要求パケット（ＲＴＳパケット）とその応答パケット（ＣＴＳパケット）の送受を行うような通信手順が設定された通信方式に適用されるものである。
　
「【００６２】
また、ここでは、図２に示すように、端末Ｔ１が端末Ｔ４に対してデータ通信を行う例について説明する。
【００６３】
端末Ｔ１側では、まず、通信制御部３０がパソコン２からのデータを受け取り（ステップｓ１）
そして、送受信データ生成部２０にＲＴＳパケットを送る。
【００６４】一方、他の端末Ｔ２，Ｔ３，Ｔ４側では、図６に示すように、パケット受信待ち状態にあり（ステップｓ１１）、この状態で、ＲＴＳパケットを受信すると（ステップｓ１２）、そのＲＴＳパケット内の送り先端末アドレスを読み取り（ステップｓ１３）、自分のアドレスか否かを判定する（ステップｓ１４）。　
【００６５】そして、自分のアドレスでない場合には、ステップｓ１１に戻り、パケット受信待ち状態となる。また、自分のアドレスであると判定した場合には、ステップｓ１５以降の処理に入る。
この場合、端末Ｔ１の通信相手は端末Ｔ４であるので、端末Ｔ４のみがステップｓ１５以降の処理を行う。
【００６６】
端末Ｔ４は、自己のパケット通信装置１の送受信データ生成部２０に設けられた通信環境状況測定部２５によって測定された通信環境測定データを取得し（ステップｓ１５）、図４（ｂ）に示すようなＣＴＳパケットを生成する（ステップｓ１６）。
【００６７】すなわち、図４（ｂ）に示すように、従来のＣＴＳパケットを構成する各種データの他に、通信環境対応データＤ１６が付加されたＣＴＳパケットを生成する。なお、この場合、通信環境対応データＤ１６は、通信環境測定データであり、端末Ｔ４の存在する場所における通信環境に基づくＳ／Ｎ比や遅延スプレッドである。
【００６８】
そして、端末Ｔ４はそのＣＴＳパケットを端末Ｔ１に返送すると（ステップｓ１７）、パケット受信状態（ステップｓ１１）に戻る。
【００６９】
このようにして、送信側端末（端末Ｔ１）の通信相手である受信側端末（端末Ｔ４）からＣＴＳパケットが端末Ｔ１に返送されてくると、図５のフローチャートに説明が戻って、端末Ｔ１は返送されてきたＣＴＳパケットをアンテナ３で受信し（ステップｓ６）、復調部１１で復調したあと、Ａ／Ｄ変換部２１でＡ／Ｄ変換後、復合化部２２で復合化されて通信制御部３０に送られる。
【００７０】
これにより、通信制御部３０内の通信パラメータ制御部３３は、ＣＴＳパケット内に付加された通信環境測定データに基づいて最適な環境適応化通信パラメータを設定する（ステップｓ７）。ここでは、最適な環境適応化通信パラメータとして最適な通信レートが設定される。
の記載があるから、
　
　引用例２には、
　
「本来送るべきデータパケットの送信前に、無線伝送路確保を行うために送信側端末と受信型端末との間で送信要求パケットとその応答パケットの送受を行うような通信手順が設定された通信方式に適用されるものであって、
　データを受け取り、ＲＴＳパケットが発信され、通信相手の端末Ｔ４で通信環境状況測定部２５によって測定された通信環境測定データを取得してＣＴＳパケットを生成して端末Ｔ１に返送すると、端末Ｔ１は返送されてきたＣＴＳパケットをアンテナ３で受信し、復調部１１で受信したあと、Ａ／Ｄ変換部２１でＡ／Ｄ変換後、複合化部２２で複合化されて通信制御部３０に送られることにより通信制御部３０内の通信パラメータ３３がＣＴＳパケット内に付加された通信環境測定データに基づいて最適な環境適応化通信パラメータを設定してデータパケットを送信し、環境適応化通信パラメータは通信レートである
　装置Ｔ１」（以下、「引用例２に記載の事項」という）
　
が記載されている。
　
　装置Ｔ１がデータを受け取ってＲＴＳを発信し、通信環境測定データを取得して生成したＣＴＳを受信してからデータパケットを送信しているから、ＲＴＳの発信とＣＴＳの受信はデータが装置Ｔ１に「保留中」に行っているといえ、最適な環境適応化通信パラメータを設定（すなわち、通信リソースの割当て後に）した後に送信する「データパケット」が「保留中」のデータパケットであることは明らかである。
　
　装置Ｔ４はＲＴＳを受信すると、通信環境状況測定部２５によって測定された通信環境測定データを取得してＣＴＳパケットを生成して返送するから、「ＲＴＳ」は「通信環境状況の測定の要求」といえる。
　また、「ＣＴＳパケット」内には通信環境測定データが付加されているから、「ＣＴＳパケット」は「測定レポート」といえる。
　
　そうすると引用例２に記載の事項では、無線伝送路確保を行うにあたり、送信側端末Ｔ１がデータを受信し、受信したデータの相手端末Ｔ４に対して測定の要求を発信し、相手端末Ｔ４からの測定レポートにより環境適応化通信パラメータを設定してからデータパケットを送信しているから、引用発明において、基地局が品質測定要求を送信して測定結果を受信しリソースの割当てを行う時期として、引用例２に記載の事項のようにデータを受け取ってから保留中に行い、品質測定レポートの報告後に保留中のデータを送信することは容易である。
　これは受信端末側の動作としてみると、「測定レポートを供給する要求」を受信するのは、自分に対する保留中のデータが存在する場合に限ることといえる。
　
　相違点２について
　
　国際公開第００／２１２３５号（以下「引用例３」という）には、（ファミリ文献である特表２００２−５２７９３８号公報を当審訳とする。また、当審訳における下線は当審が付与）下記の記載がある。
　
「The digital cellular communication network 15 of FIGURE 1 can be, for example, a GSM network appropriately modified to include the herein-described features of the present invention. FIGURE 1 illustrates that, in a GSM network, the switching office 13 would correspond to a GSM mobile switching center (MSC), the controllers 17 would correspond to GSM base station controllers (BSCs) and the fixed-site transceivers 19 would correspond to GSM base transceiver stations (BTSs). It will be evident to workers in the art that the features of the present invention described hereinafter are also readily applicable to other well known digital cellular communication networks, for example, D-AMPS, PDC, etc. FIGURE 2 diagrammatically illustrates an exemplary mode determiner which may be included in, for example, one or more of the transceiver controllers 17 or one or more of the fixed-site transceivers 19 of FIGURE 1. Each mode determiner determines a modulation and channel coding mode for a cell associated with that mode determiner. Every radio link in the associated cell will then operate in the selected modulation and channel coding mode. If the mode determiner is provided in a transceiver controller 17, it can be used to determine respective modulation and channel coding modes for all cells served by the fixed-site transceivers 19 that are controlled by the transceiver controller 17.
　The exemplary mode determiner of FIGURE 2 includes an input 21 for receiving quality measurement information obtained by the mobile stations 16 and fixed-site transceiver(s) 19 of a given cell during conventional operation. For example, the mode determiner can receive at input 21 information indicative of measurements made by the fixed-site transceivers 19 and by the mobile stations 16, of received signal power, received interference, BER, and other conventional measurements. Measurements of these quality factors are already conventionally made by the mobile stations and fixed-site transceivers of the respective cells during conventional operation of digital cellular systems such as GSM.」（５頁１行〜２７行）
（当審訳：「【００１２】
　図１のデジタル移動電話通信ネットワーク１５は、例えば、ここに述べる本発明の特徴を含むようにＧＳＭネットワークを適宜変形して構成することができる。
図１は、ＧＳＭネットワークにおいては、中継局１３がＧＭＳの移動交換局（ＭＳＣ(mobile switching center)）に対応し、コントローラ１７がＧＳＭの基地局コントローラ（ＢＳＣｓ(base station controllers)）に対応し、かつ、固定位置の送受信機１９がＧＳＭの無線基地局（ＢＴＳｓ(base transceiver stations)）に対応することになる構成を例示している。
【００１３】
  
図２は、代表的なモード決定器の概略を例示した図である。この代表的なモード決定器は、例えば、図１における１つ若しくは２つ以上の送受信機コントローラ１７内又は１つ若しくは２つ以上の固定位置の送受信機１９内に、設けることとしてもよい。
【００１４】
  図２の代表的なモード決定器は、既定のセル（a given cell）の各移動局１６と（一又は複数の）固定位置の送受信機１９とによって従来通りの動作中に得られる品質測定情報（quality measurement information）を受信するための入力２１を有している。
例えば、モード決定器は、入力２１において、固定位置の送受信機１９により生成される測定値及び移動局１６により生成される測定値を表す情報、受信された信号電力を表す情報、受信された干渉を表す情報、ＢＥＲを表す情報、並びに他の従来からある測定値を表す情報を受信することができる。
　
　の記載があるから、引用例３には、
　
「移動局１６により生成される測定値を表す、信号電力を表す情報、受信された干渉を表す情報、ＢＥＲを表す情報、並びに他の従来からある測定値を表す情報を受信して、変調及びチャネル符号化のモードを決定するモード決定器は基地局コントローラＢＳＣに対応する送受信機コントローラ１７内又は無線基地局ＢＴＳに対応する固定位置の送受信機１９内に設けることとしてもよい」
　
ことが記載されている。
　
　引用発明において、無線資源管理部３００、セション品質管理部３１０、干渉監視部３２０は、ＢＳＣ１２５とは異なる部分にいくつかを配置させることが可能であることが記載されており、引用例３には、信号電力、干渉、ＢＥＲ等の品質測定を受信して変調及びチャネル符号化のモードを決定する（すなわち、資源を管理している）モード決定器をＢＳＣ又はＢＴＳに設けて良いことが記載されているから、引用発明における「資源管理部３００」などが設けられる「ＢＳＣとは異なる部分」として、基地局とすることは容易である。
　
　
７．むすび
　したがって、本願は、当審で通知した上記拒絶の理由によって拒絶をすべきものである。
　よって、結論のとおり審決する。